(57)【要約】      （修正有）【課題】より効率的な遊戯用写真撮影サービスの利用促進を図ることができる技術を提供する。【解決手段】遊戯用撮影装置１００において、登録処理部は、ユーザの携帯端末との間で無線通信を介した接続を確立するとともにユーザを識別するための情報を取得し、接続が確立された携帯端末を識別するための情報とユーザを識別するための情報との対応関係を記録する。出力処理部は、対応関係が記録された携帯端末に対して撮影画像および編集画像のうち少なくともいずれかが送信されるよう出力処理を実行する。【選択図】図１
2020187363.tif 000002
【特許請求の範囲】
【請求項１】
ユーザを被写体とした撮影がなされる撮影空間と、  前記撮影空間において撮影された前記ユーザを被写体に含む撮影画像を取得する画像生成部と、  前記撮影画像に対する前記ユーザの指示を受け付ける編集空間と、  前記編集空間における前記ユーザの指示に基づいて前記撮影画像を編集して編集画像を取得する編集処理部と、  前記ユーザの携帯端末との間で無線通信を介した接続を確立するとともに前記ユーザを識別するための情報を取得し、前記接続が確立された携帯端末を識別するための情報と前記ユーザを識別するための情報との対応関係を記録する登録処理部と、  前記対応関係が記録された携帯端末に対して前記撮影画像および前記編集画像のうち少なくともいずれかが送信されるよう出力処理を実行する出力処理部と、  を備える遊戯用撮影装置。
【請求項２】
第１の撮影機会において接続が確立された携帯端末を識別するための情報とそのユーザを識別するための情報との対応関係を記録し、前記第１の撮影機会とは異なる第２の撮影機会において接続が確立された携帯端末を識別するための情報とそのユーザを識別するための情報との対応関係を記録する登録処理部をさらに備え、  前記出力処理部は、前記第１の撮影機会において取得された前記撮影画像および前記編集画像については、前記第１の撮影機会において対応関係が記録された携帯端末に送信されるように出力処理を実行し、前記第２の撮影機会において取得された前記撮影画像および前記編集画像については、前記第２の撮影機会において対応関係が記録された携帯端末に送信されるように出力処理を実行する請求項１に記載の遊戯用撮影装置。
【請求項３】
前記登録処理部は、ユーザを識別するための情報とともに、そのユーザが所定の写真撮影サービスの会員として登録されているか否かを含む情報である会員種別の情報を取得し、  前記編集処理部は、ユーザに提供し得る画像編集機能のうち、ユーザごとの前記会員種別に応じて機能の提供範囲を決定する請求項１または２に記載の遊戯用撮影装置。
【請求項４】
前記登録処理部は、ユーザを識別するための情報とともに、そのユーザが所定の写真撮影サービスの会員として登録され
ているか否かを含む情報である会員種別の情報を取得し、  前記出力処理部は、１回の撮影機会において複数のユーザについてユーザを識別するための情報および会員種別が取得された場合、前記撮影機会において取得された前記撮影画像および前記編集画像のうち、前記複数のユーザの会員種別の中に特定の種別が含まれるか否かに応じて送信対象とする画像の範囲を決定する請求項１または２に記載の遊戯用撮影装置。
【発明の詳細な説明】
【技術分野】
【０００１】
本発明は、撮影画像を送信する遊戯用撮影装置に関する。
【背景技術】
【０００２】
従来、複数のユーザを含む被写体をカメラで複数回撮影し、その撮影画像を写真印刷シートとして出力したり、ネットワークを介して外部の装置に送信したりすることができる遊戯用撮影装置および遊戯用写真撮影サービスが知られている。このような遊戯用撮影装置では、ユーザの嗜好に応じて、例えば、次のような編集処理を行えるものが多く提案されている。まず、撮影された被写体の画像に対してクロマキー処理をし、被写体部分を抽出した被写体画像を生成する。そして、この被写体画像にユーザが選択した背景画像を合成し、合成画像を生成する。一方、近距離無線通信や無線ＬＡＮによって様々な機器同士が互いに接続し合う技術が知られている。
【先行技術文献】
【特許文献】
【０００３】
【特許文献１】特開２００９−２５８４８８号公報
【発明の概要】
【発明が解決しようとする課題】
【０００４】
本願の発明者は、遊戯用撮影装置および遊戯用写真撮影サービスにおいて近距離無線通信や無線ＬＡＮの技術を応用すれば、より効率的なサービス利用を促進できる可能性があると認識するに至った。  
【０００５】
本発明はこうした課題に鑑みてなされたものであり、その目的は、より効率的な遊戯用写真撮影サービスの利用促進を図ることができる技術を提供することにある。
【課題を解決するための手段】
【０００６】
上記課題を解決するために、本発明のある態様の遊戯用撮影装置は、ユーザを被写体とした撮影がなされる撮影空間と、撮影空間において撮影されたユーザを被写体に含む撮影画像を取得する画像生成部と、撮影画像に対するユーザの指示を受け付ける編集空間と、編集空間におけるユーザの指示に基づいて撮影画像を編集して編集画像を取得する編集処理部と、ユーザの携帯端末との間で無線通信を介した接続を確立するとともにユーザを識別するための情報を取得し、接続が確立された携帯端末を識別するための情報とユーザを識別するための情報との対応関係を記録する登録処理部と、対応関係が記録された携帯端末に対して撮影画像および編集画像のうち少なくともいずれかが送信されるよう出力処理を実行する出力処理部と、を備える。  
【０００７】
ここで「無線通信」は、Ｂｌｕｅｔｏｏｔｈ（商標）やＮＦＣ（Near Field Communication）などの近距離無線通信であってもよいし、無線ＬＡＮ（Local Area Network）などの無線ネットワーク通信であってもよい。すなわち、ここでいう無線通信は、近距離ないし短距離の無線通信を主に想定してもよい。「接続が確立」は、例えばペアリングと呼ばれる処理、すなわちデバイス同士で同じパスコードを交換し合うことで互いを認証した上で、無線通信の接続を確立する処理であってもよい。この態様によると、無線通信の接続を確立した携帯端末に対して撮影画像または編集画像を直接送信することができるだけでなく、ユーザを識別するための情報を携帯端末から容易に取得することができ、遊戯用撮影装置を用いた写真撮影サービスの利用をより効率化することができる。  
【０００８】
第１の撮影機会において接続が確立された携帯端末を識別するための情報とそのユーザを識別するための情報との対応関係を記録し、第１の撮影機会とは異なる第２の撮影機会において接続が確立された携帯端末を識別するための情報とそのユーザを識別するための情報との対応関係を記録する登録処理部をさらに備えてもよい。出力処理部は、第１の撮影機会において取得された撮影画像および編集画像については、第１の撮影機会において対応関係が記録された携帯端末に送信されるように出力処理を実行し、第２の撮影機会において取得された撮影画像および編集画像については、第２の撮影機会において対応関係が記録された携帯端末に送信されるように出力処理を実行してもよい。  
【０００９】
登録処理部は、ユーザを識別するための情報とともに、そのユーザが所定の写真撮影サービスの会員として登録されているか否かを含む情報である会員種別の情報を取得し、編集処理部は、ユーザに提供し得る画像編集機能のうち、ユーザごとの会員種別に応じて機能の提供範囲を決定してもよい。  
【００１０】
登録処理部は、ユーザを識別するための情報とともに、そのユーザが所定の写真撮影サービスの会員として登録されているか否かを含む情報である会員種別の情報を取得し、出力処理部は、１回の撮影機会において複数のユーザについてユーザを識別するための情報および会員種別が取得された場合、撮影機会において取得された撮影画像および編集画像のうち、複数のユーザの会員種別の中に特定の種別が含まれるか否かに応じて送信対象とする画像の範囲を決定してもよい。  
【００１１】
なお、以上の構成要素の任意の組み合わせ、本発明の表現を方法、装置、システム、コンピュータプログラム、データ構造、記録媒体などの間で変換したものもまた、本発明の態様として有効である。
【発明の効果】
【００１２】
本発明によれば、より効率的な遊戯用写真撮影サービスの利用促進を図ることができる技術を提供できる。
【図面の簡単な説明】
【００１３】
【図１】写真撮影システムの全体構成を模式的に示す図である。
【図２】遊戯用撮影装置を左前側から見た斜視図である。
【図３】図２に示す遊戯用撮影装置を上から見た平面図である。
【図４】遊戯用撮影装置のハードウェア構成を模式的に示すブロック図である。
【図５】遊戯用撮影装置の機能構成を模式的に示す機能ブロック図である。
【図６】コンテンツデータ生成部が生成するコンテンツデータのデータ構造を模式的に示す図である。
【図７】管理サーバの機能構成を模式的に示す機能ブロック図である。
【図８】管理サーバに登録されたユーザ情報のテーブルを模式的に示す図である。
【図９】端末装置の機能構成を模式的に示す機能ブロック図である。
【図１０】端末装置と遊戯用撮影装置のペアリングを成立させるために遊戯用撮影装置の上部モニタに表示される画面例を模式的に示す図である。
【図１１】ペアリングが成立したユーザ一覧を表示する画面例を模式的に示す図である。
【図１２】遊戯用撮影装置におけるプレイの概略的な流れを示すフローチャートである。
【図１３】図１２のＳ２４における出力処理の詳細を示すフローチャートである。
【図１４】遊戯用撮影装置から画像送信の指示を受けた管理サーバにおける処理を示すフローチャートである。
【発明を実施するための形態】
【００１４】
以下、本発明の実施の形態に係る写真撮影システムについて、図面を参照しつつ説明する。  
【００１５】
＜写真撮影システムの概要＞  図１は、写真撮影システム６００の全体構成を模式的に示す図である。写真撮影システム６００は、インターネット等のネットワーク２００を介して接続する遊戯用撮影装置１００、管理サーバ３００、ＳＮＳ（Social Networking Service）サーバ４００、および複数の端末装置５００を含む。本図では、端末装置５００ａと端末装置５００ｂとのふたつの端末装置を図示しているが、端末装置５００の数は２に限られず、３以上であってよい。以下、本明細書において、それぞれの端末装置５００を特に区別する場合を除き、単に「端末装置５００」と総称する。  
【００１６】
遊戯用撮影装置１００は、ユーザを含む被写体を写真撮影するカメラや、撮影した写真画像を編集するためのユーザインタフェースを備える電子機器を含む装置である。ユーザが遊戯用撮影装置１００で写真を撮影すると、遊戯用撮影装置１００は、ユーザを識別するための情報とそのユーザを被写体に含む写真画像群とを紐付ける。写真画像群とは、所定の１プレイにおいて作成されグループ化された複数の写真画像のことを指す。ユーザを識別するための情報は、写真撮影サービスに会員登録済みのユーザまたは新規に登録するユーザに関しては登録されるメールアドレス等のユーザ識別情報である。写真撮影サービスに未登録のユーザに関してはプレイごとに発行される一意の識別情報や端末装置５００にインストールされる専用の情報提示アプリケーションに一意に割り当てられた識別情報であってもよい。以下、本明細書において、ユーザを識別するための情報とそのユーザを被写体に含む写真画像群とが紐付けられたデータを「コンテンツデータ」と記載する。  
【００１７】
遊戯用撮影装置１００には、近距離無線通信または無線ＬＡＮ通信のための無線通信装置６１０が設けられる。無線通信装置６１０は、近距離無線通信または無線ＬＡＮの通信モジュールの形で遊戯用撮影装置１００の内部、例えば基板上に実装されてもよい。近距離無線通信としては、例えばＢｌｕｅｔｏｏｔｈ（商標）またはＮＦＣが用いられ、無線ＬＡＮ通信としては、例えばＩＥＥＥ８０２．１１ａ／ｂ／ｇ／ｎの規格が用いられる。端末装置５００も同様に、近距離無線通信または無線ＬＡＮ通信のための無線通信モジュールを内蔵し、遊戯用撮影装置１００との間でペアリングによる無線通信の接続を確立することができる。  
【００１８】
管理サーバ３００は、遊戯用撮影装置１００から取得したコンテンツデータ、写真撮影サービスの利用履歴、およびユーザ識別情報等のユーザ情報を管理するサーバである。管理サーバ３００は、コンテンツデータに含まれる写真画像群にアクセスするためのコンテンツアクセス情報を、ユーザ識別情報に基づいて各ユーザが所持する端末装置５００に送信することができる。コンテンツアクセス情報は、例えば管理サーバ３００にアクセスするためのＵＲＬ（Uniform Resource Locator）を含む。  
【００１９】
ユーザは、遊戯用撮影装置１００の利用者向けに設計され、ユーザ自身の端末装置５００にインストールされた専用の情報提示アプリケーションを用い、コンテンツアクセス情報をもとに管理サーバ３００にアクセスし、自身の端末装置５００に写真画像群をダウンロードする。ユーザは端末装置５００上で写真画像群を編集することもできる。情報提示アプリケーションは、ネットワーク２００を介して管理サーバ３００からダウンロードできる。ただし、遊戯用撮影装置１００との間で無線通信でペアリングによる接続を確立している間は、後述する所定の条件の下で遊戯用撮影装置１００から直接、写真画像や編集画像を受信することができる。  
【００２０】
＜遊戯用撮影装置の外観＞  図２は、遊戯用撮影装置１００を左前側から見た斜視図である。図３は、図２に示す遊戯用撮影装置１００を上から見た平面図である。以下では、図２に示す前後左右の方向を基準として、他の図面も説明する。図２および図３に示すように、この遊戯用撮影装置１００は、前部側の撮影部５０と後部側の編集部５１とを
備えており、前後方向に長いほぼ直方体状を呈している。そして、編集部５１の後端には、編集後の写真の出力等をするための出力部５２が設けられている。  
【００２１】
撮影部５０は、ユーザを撮影するカメラが内蔵された撮影筐体１１と、この撮影筐体１１の後方に撮影空間１０を介して配置された背景壁部１２とを有する。そして、撮影筐体１１の側面と、背景壁部１２の側面との間の隙間が、撮影空間１０への出入口である第１出入口１０１ａ，１０１ｂを構成している。また、編集部５１は、背景壁部１２の後方に隣接して配置された編集筐体２１を有する。この編集筐体２１には、左右の方向を向く一対の操作面が設けられる。そして、ユーザは各操作面への入力作業をする編集空間２０ａ，２０ｂに、第２出入口２０１ａ，２０１ｂを介して入ることができる。また、出力部５２は、編集筐体２１の後端面と接する出力筐体３１を有する。出力筐体３１に対しては、ユーザが遊戯用撮影装置１００の後端側から操作するように、操作面が後端側を向いている。したがって、出力筐体３１の後端側の空間が、ユーザが出力操作をするための出力空間３０となる。  
【００２２】
撮影筐体１１と背景壁部１２との上端部の側面は、前後方向に延びる天井フレーム１３によって互いに連結されている。そして、この天井フレーム１３の枠内部には、撮影空間１０を上から覆い、照明およびフラッシュ照射する天井照明ユニット１４が設けられている。撮影筐体１１の左側面（あるいは右側面）には、遊戯用撮影装置１００の使用方法を含む説明書きを掲示するための掲示スペース１５が設けられている。また、その左側面の上部には、撮影筐体１１が使用中であるか否かを示す表示部１６が設けられている。  
【００２３】
この表示部１６は、発光または消灯される表示灯（図示せず）を備える。表示部１６は、表示灯の発光によって撮影部５０が使用中であることをユーザに示し、消灯によって撮影部５０が空きになったことをユーザに示す。遊戯用撮影装置１００は、表示部１６が左右方向外側に突出した平面視三角形状に形成されているが、その形状は特には限定されず、凸湾曲状などのその他の形状であってもよい。  
【００２４】
背景壁部１２は、撮影筐体１１とほぼ同じ幅および高さの板状部材によって形成され、撮影筐体１１の正面と対面する本体プレート１２１と、この本体プレート１２１の左右両端から前方に延設された一対のサイドプレート１２２とを有している。このため背景壁部１２は、全体として平面視コ字状に形成されている。本体プレート１２１において、撮影筐体１１を向く面には、クロマキー処理のための単一の色（例えば、青色または緑色）が着色されている。着色については、本体プレート１２１に直接ペンキなどで着色するほか、着色された布地、プレート等を取付けてもよい。また、図示はしないが、撮影空間１０の床面には、この本体プレート１２１と連続するように、当該本体プレート１２１と同様にクロマキー処理のための単一色が着色されている。そして、撮影筐体１１の後端縁と、天井フレーム１３の下端縁と、サイドプレート１２２の前端縁とから、上述したように、撮影空間１０に出入りするための第１出入口１０１ａ，１０１ｂが構成されている。  
【００２５】
編集筐体２１は、左右両側から２組のユーザが同時に編集可能な対面式であり、左右それぞれに操作面が設けられる。また編集筐体２１は、左右方向の長さが背景壁部１２の同方向の幅よりも短い。編集筐体２１は、その前端面を背景壁部１２の背面の中央部に接続されている。この編集筐体２１の左右両側方のスペースが、２組のユーザがそれぞれ編集作業を行う編集空間２０ａ，２０ｂとなる。編集筐体２１の上方には、平面視においてほぼコの字状のカーテンフレーム２２が設けられている。このカーテンフレーム２２は、前後方向に延びる一対の側部フレーム２２１と、この側部フレーム２２１の後端同士を連結する左右方向に延びる後部フレーム２２２とからなる。図示はしないが、編集筐体２１の内部には、例えばＰＣ（Personal Computer）等のＣＰＵ（Central Processing Unit）を備える計算機が設置されている。  
【００２６】
各側部フレーム２２１の前端は、天井フレーム１３の後端に前後方向に延長状に連結されており、後部フレーム２２２の中央部は、編集筐体２１の後上端部に設けられた支持部材２３によって支持されている。そして、左右一方側の側部フレーム２２１と、後部フレーム２２２のほぼ半分の長さ部分により、編集空間２０ａ，２０ｂに出入りするための前記第２出入口２０１ａ，２０１ｂの上枠部が構成されている。  
【００２７】
＜遊戯用撮影装置のハードウェア構成＞  図４は、遊戯用撮影装置１００のハードウェア構成を模式的に示すブロック図である。遊戯用撮影装置１００では、バスＸを介して、制御部５３、記憶部５４、撮影部５０、編集部５１、出力部５２が電気的に接続されている。制御部５３は、公知のＣＰＵ(Central Processing Unit)、ＲＯＭ(Read Only Memory)、ＲＡＭ(Random Access Memory)を備えている。そして、制御部５３では、記憶部５４に記憶されているプログラムを実行し、遊戯用撮影装置１００の全体の動作を制御する。また、バスＸには、通信部５５、外部ドライブ５６も接続されている。なお、制御部５３、記憶部５４、通信部５５および外部ドライブ５６は、公知のコンピュータにより構成してもよく、このようなコンピュータが上述した編集筐体２１の制御ボックス２１１に内蔵されている。  
【００２８】
記憶部５４は、ハードディスクやフラッシュメモリなどの不揮発性の記憶媒体で構成され、制御部５３から送信された各種の設定情報を記憶する。記憶部５４に記憶されている情報は制御部５３により適宜読み出される。この記憶部５４には、画像の編集のために用いられる各種画像データ、画像処理のためのデータが記憶されている。例えば、撮影画像の背景となる背景画像データなどが記憶されている。また、制御部５３のＲＯＭには、ファームウェアなどのプログラムや設定情報などのデータが記憶されており、ＲＡＭには、制御部５３において処理するデータやプログラムを一時的に記憶する。以下では、ＲＡＭ、ＲＯＭをまとめてメモリということがある。  
【００２９】
通信部５５はインターネットなどのネットワークと接続するためのインタフェースであり、制御部５３による制御にしたがって外部の装置と通信する。外部ドライブ５６は、光ディスクや半導体メモリなどのリムーバブルメディアに対する読み出しや書き込みを実行する。例えば、外部ドライブ５６によりリムーバブルメディアから読み出されたコンピュータプログラムやデータは、制御部５３に送信され、記憶部５４に記憶されたり、プログラムとしてインストールされたりする。  
【００３０】
撮影部５０は、撮影空間１０における撮影処理をするために、コイン処理部１７、照明制御部１８、上部カメラ１１１、下部カメラ１１２、上部モニタ１１３、下部モニタ１１４、およびスピーカ１９から構成される。  
【００３１】
上部カメラ１１１および下部カメラ１１２は、制御部５３による制御にしたがって被写体を撮影する。上部カメラ１１１および下部カメラ１１２は、撮影により得られた画像を制御部５３に出力する。上述したように、上部カメラ１１１は、被写体を上方から撮影するためものであり、下部カメラ１１２は、被写体を正面から撮影するためのものである。そのため、これらのカメラ１１１、１１２はそれぞれ、最適な画像を得るために理想的な画角やトリミング範囲などの設定が予め行われている。各カメラ１１１、１１２は、リアルタイムに画像を取り込んで当該画像を表す画像信号を出力する。カメラ１１１、１１２から出力された画像信号は制御部５３に入力されて、その内部のメモリに一時的に記憶される。またこの画像信号は上部モニタ１１３および下部モニタ１１４にそれぞれ送信され、上部モニタ１１３および下部モニタ１１４は、当該画像信号に基づくライブ映像を表示する。より具体的には、上部カメラ１１１によるライブ映像は、上部モニタ１１３に表示され、下部カメラ１１２によるライブ映像は、下部モニタ１１４に表示される。なお、実際には、静止画像として保存される撮影画像データ（以下、単に「撮影画像」ということもある。）は高解像度の静止画データであり、ライブ映像を表示するための撮影画像データ（「スルー画像データ」とも呼ばれる。）は低解像度の動画データである場合が多いが、高解像度の動画データとしてもよい。  
【００３２】
上部モニタ１１３は、公知のタッチパネルであり、表示機器として、上部カメラ１１１が撮影中のライブ映像を表示する。上部モニタ１１３はまた、上部カメラ１１１および下部カメラ１１２で撮影された静止画像としての撮影画像を表示する。上部モニタ１１３はさらに、表示された撮影画像を選択する操作や、撮影画像に対する補正に関するユーザの操作等を受け付ける入力機器としても機能する。これらの操作を示す信号は、操作信号として制御部５３に入力される。一方、下部モニタ１１４は、下部カメラ１１２が撮影中のライブ映像を表示するものであり、上部モニタ１１３と概ね同じ構成である。但し、上述したように、下部モニタ１１４はタッチパネルとしての機能は有しておらず、もっぱら画像を表示することに用いられる。なお、下部カメラ１１２および下部モニタ１１４は必須の構成でなく、上部カメラ１１１および上部モニタ１１３のみでもよい。  
【００３３】
コイン処理部１７は、コイン投入口に対するコインの投入を検出する。コイン処理部１７は、プレイに要する所定の金額分（プレイ料金分）のコインが投入されたことを検出した場合、そのことを表す起動信号を制御部５３に出力する。なお、コイン処理部１７は、電子マネーやクレジットカードによるプレイ料金の支払を受け付け、当該起動信号を制御部５３に出力するようなものとすることもできる。  
【００３４】
照明制御部１８は、制御部５３より供給される照明制御信号にしたがって、撮影空間１０内の正面照明ユニット１１５が照射するフラッシュを制御する。また、照明制御部１８は、天井照明ユニット１４および正面照明ユニット１１５の内部に設けられる電灯（蛍光灯など）を制御することで、ユーザによる撮影処理の段階に応じて撮影空間１０内の明るさを調整する。スピーカ１９は、ユーザによる撮影処理の段階に応じた音声を出力する。  
【００３５】
編集部５１ａ，５１ｂは、編集空間２０ａ，２０ｂそれぞれにおいて編集処理をするためのものである。編集部５１ａおよび編集部５１ｂの機能や構成は同じであるため、以下では編集部５１ａのみを説明し、編集部５１ｂの説明を省略する。  
【００３６】
編集部５１ａは、タブレット内蔵モニタとしての編集用モニタ２１３、２本のタッチペン２１４Ａ，２１４Ｂ、およびスピーカ２１５から構成される。編集用モニタ２１３は、制御部５３による制御にしたがって編集画面を表示し、編集画面に対するユーザの編集操作等を検出する。すなわち、ユーザにより、編集用モニタ２１３がタッチペン２１４Ａ，２１４Ｂでタッチされると、その操作およびタッチペン２１４Ａ，２１４Ｂのいずれでタッチされたのかが検出され、操作信号として制御部５３に送信される。これにより、ユーザは編集対象である合成画像を編集する。具体的には、編集用モニタ２１３に表示された画像に対し、例えば、文字、模様、図形などのいわゆる落書を、タッチペン２１４Ａ，２１４Ｂなどの入力デバイスで入力する。これにより、合成画像に、落書が重ね合わされた出力用画像が生成される。こうして生成された出力用画像に基づく画像データは、出力部５２へ送信される。  
【００３７】
出力部５２は、出力空間３０において出力処理を実行する。出力部５２は、タッチパネル式の液晶モニタ３１１、非接触通信部３１２、およびスピーカ３１４を備える。その他、出力用画像を印刷するためのプリンタ３４、およびシール紙ユニット３５も備えている。プリンタ３４は、合成画像、または編集処理によって得られた編集済みの出力用画像を、プリンタ３４に装着されたシール紙ユニット３５に収納されているシール紙に印刷し、シール紙排出口
３１３に排出する。非接触通信部３１２は、携帯端末との間でデータを受送信する無線通信ユニットであり、例えば例えばＢｌｕｅｔｏｏｔｈ（商標）やＮＦＣなどの近距離無線通信モジュールや、無線ＬＡＮなどの無線ネットワーク通信モジュールが含まれる。なお、編集部５１で作成された画像データは、通信部５５によってネットワークを通じて外部の画像蓄積サーバに送信される。  
【００３８】
＜遊戯用撮影装置の機能構成＞  図５は、遊戯用撮影装置１００の機能構成を模式的に示す機能ブロック図である。遊戯用撮影装置１００は、画像生成部６０、編集処理部６１、登録処理部６２、出力処理部６３、および通信部１７０を含む。  
【００３９】
本図は、実施の形態に係る遊戯用撮影装置１００を実現するための機能構成を示しており、その他の構成は省略している。本図において、さまざまな処理をする機能ブロックとして記載される各要素は、図４に示すハードウェアであるカメラ、ＣＰＵ、メインメモリ、その他のＬＳＩ（Large Scale Integrated circuit）で構成することができる。また、ソフトウェア的にはＲＡＭにロードされたプログラム等をＣＰＵが実行することによって実現される。したがって、これらの機能ブロックがハードウェアのみ、ソフトウェアのみ、またはそれらの組み合わせによっていろいろな形で実現できることは当業者には理解されるところであり、いずれかに限定されるものではない。  
【００４０】
画像生成部１１０は、撮像部１１６および画像群取得部１３０を含む。撮像部１１６は、登録処理部６５０からのプレイ開始の指示にしたがい、１人または複数のユーザを複数回撮影し、複数の写真画像を生成する。撮像部１１６は、上述した撮影筐体１１に内蔵されたカメラを用いて実現できる。限定はしないが、撮像部１１６は６回から８回の写真撮影を実行し、６枚から８枚程度の写真画像を生成する。画像群取得部１３０は、撮像部１１６が複数回の撮影によって生成した２以上のユーザを被写体とする複数の写真画像を取得する。画像群取得部１３０は、取得した複数の写真画像をひとまとまりの写真画像群として管理する。より具体的に、画像群取得部１３０は、取得した複数の写真画像に同一の画像群識別子を付与し、かつ写真画像を特定するために、各写真画像に固有の画像識別子を付与する。  
【００４１】
登録処理部６２は、接続処理部１１７およびユーザ情報取得部１４０を含む。接続処理部１１７は、ユーザの端末装置５００との間で無線通信の確立および解除に必要な処理を実行するとともにユーザを識別するための情報を取得する。また、接続が確立された端末装置５００を識別するための情報とユーザを識別するための情報との対応関係を記録する。  
【００４２】
無線通信方法は、例えばＢｌｕｅｔｏｏｔｈ（商標）やＮＦＣなどの近距離無線通信を用いてもよいし、無線ＬＡＮなどの無線ネットワークを用いてもよい。Ｂｌｕｅｔｏｏｔｈ（商標）での接続を確立する場合、先にＮＦＣを用いてペアリングを成立させてもよいし、遊戯用撮影装置１００の画面上の所定ボタンにユーザが手を触れた状態で端末装置５００に所定操作をすることでペアリングを成立させてもよい。ＮＦＣでの接続を確立する場合、非接触通信部３１２としてのリーダ・ライタにユーザが端末装置５００をかざすことにより近距離無線通信が確立してもよい。無線ＬＡＮでの接続を確立する場合、ユーザがＳＳＩＤやパスワードを設定することによりインフラストラクチャーモードまたはアドホックモードで無線通信を確立してもよい。あるいは、先にＢｌｕｅｔｏｏｔｈ（商標）またはＮＦＣでペアリングを成立させてから無線ＬＡＮのアドホックモードまたはインフラストラクチャーモードに切り替えてデータ送受信の通信接続を確立してもよい。  
【００４３】
接続処理部１１７は、第１の撮影機会であるプレイにおいて接続が確立された端末装置５００を識別するための情報とそのユーザを識別するための情報との対応関係を記録する。また、第１の撮影機会とは異なる第２の撮影機会であるプレイにおいて接続が確立された端末装置５００を識別するための情報とそのユーザを識別するための情報との対応関係を記録する。このように、プレイごとに、プレイを識別するための情報、端末装置５００を識別するための情報、ユーザを識別するための情報との対応関係を区別して記録する。例えば、接続処理部１１７は、無線ＬＡＮ通信の接続を確立した場合、接続した端末装置５００ごとにＩＰアドレスを記憶する。端末装置５００ごとのＩＰアドレスは、端末装置５００ごとに取得する後述のユーザ情報や対応するプレイを識別するための画像群識別子と紐付けて記憶する。変形例として、近距離無線通信での接続を維持して撮影後に画像を送信する仕様の場合、端末装置５００ごとにペアリングの設定情報を記憶し、ユーザ識別情報やアプリケーションＩＤ、画像群識別子などと紐付けて記憶してもよい。  
【００４４】
接続処理部１１７は、プレイの終了後に端末装置５００との無線通信の接続を解除し、ペアリングの設定は破棄する。ただし、同時にペアリングできるデバイス数に制限があるため、ペアリングが成立して無線ＬＡＮ通信の接続に移行した時点でペアリングを解除し、ペアリングの設定を破棄してもよい。また無線ＬＡＮ通信での同時接続数にも制限があるか、少なくとも同時接続数が増えたときに転送速度が低下するおそれがある。そのため、近距離無線通信モジュールや無線ＬＡＮ通信モジュールを複数内蔵し、同時接続数の上限を増やしてもよい。特に、１回のプレイで複数人のユーザが同時利用する場合が多く、しかも１台の遊戯用撮影装置１００において、コイン投入やペアリングなどの事前接客処理の空間、撮影空間１０、２つの編集空間２０ａ、２０ｂ、出力空間３０に空間が分かれるなど、最大で５組のユーザのグループが同時にプレイできる。そこで、無線通信モジュールを複数にすることで無線通信の同時接続数を増やし、写真撮影サービスの運用をより効率的にすることができる。  
【００４５】
また、複数組のユーザのグループが同時にプレイしていても、無線通信接続の設定情報、ユーザ識別情報、アプリケーションＩＤなどの対応関係は、画像群識別子ごとに別々に紐付けられており、画像送信先の端末装置５００を容易に区別することができ、誤送信を防止する。  
【００４６】
ユーザ情報取得部１４０は、プレイの終了後にユーザによって遊戯用撮影装置１００へ直接入力された、または、端末装置５００を介して事前入力されたメールアドレス等の個人を特定する情報を受け付ける。ユーザ情報取得部１４０は、そのメールアドレスおよびユーザ情報（写真撮影サービスの会員種別や名前、性別等）が管理サーバ３００に登録されていれば、メールアドレスをもとに登録済みのユーザ情報を取得する。ユーザ情報取得部１４０は、メールアドレスが管理サーバ３００に登録されていない場合、写真撮影サービスの非会員であると判断する。ただし、ユーザ情報取得部１４０は、ユーザの情報をプレイの開始前に取得してもよい。特に端末装置５００を介してメールアドレス等の情報を取得する場合には、ユーザが遊戯用撮影装置１００へあらためてメールアドレスを手動入力する手間が必要でなくなり、通信接続が確立していれば、画像編集後に直ちにデータ送受信を行うことができる。なお、ユーザ情報取得部１４０がメールアドレス以外のユーザ情報を端末装置５００から取得することも可能であり、必ずしも管理サーバ３００へアクセスしてユーザ情報を取得しない仕様も可能ではある。ただし、その場合でもユーザ情報が有効である否かについて管理サーバ３００へアクセスして確認するのが好ましい。登録処理部６２は、コイン投入、通信接続の確立、ユーザ情報の取得にしたがってプレイの開始を画像生成部６０へ指示する。  
【００４７】
ユーザ情報取得部１４０が取得するユーザ情報は、例えばユーザそれぞれのメールアドレスなど、個人を一意に特定するための識別情報を含む。ユーザ情報は、ユーザ名、パスワード、会員ＩＤ、会員種別、アプリケーションＩＤ、アプリケーションバージョン情報、年齢、性別、生年月日、電話番号、利用履歴等の情報をさらに含んでもよい。ユーザ情報取得部１４０は、端末装置５００との通信を確立していないユーザに関しては、タッチパネル上に表示させるキーボードからメールアドレス等のユーザ識別情報の入力を受け付け、端末装置５００との通信が確立しているユーザに関しては、端末装置５００からメールアドレス等のユーザ識別情報を取得する。さらに、すでに会員登録済みのユーザの場合は、タッチパネルまたは端末装置５００から取得したユーザ識別情報をもとに、さらに詳細なユーザの情報を通信部１７０を介して管理サーバ３００から取得する。このように、従来は撮影後の出力処理の時点などにおいて取得していたユーザのメールアドレス等の識別情報を、無線通信の接続を確立したユーザに関しては撮影前の事前接客処理の時点で取得することができる。これにより、そうした情報の手動入力の煩雑さを回避し、より円滑で確実な運用を可能とする。  
【００４８】
編集処理部６１は、背景処理部１２０およびコンテンツデータ生成部１５０を含む。背景処理部１２０は、画像生成部６０が生成した複数の写真画像それぞれについて、撮影画像における被写体と、それ以外の領域である背景領域とを区別するための背景情報（クロマキーマスク）を取得する。背景処理部１２０は、例えば上述した既知のクロマキー処理を用いて実現できる。背景処理部１２０は、背景情報を２値化画像またはグレースケールの画像、あるいはそれらを圧縮したデータとして生成する。  
【００４９】
コンテンツデータ生成部１５０は、画像群取得部１３０が生成した複数の写真画像を含む写真画像群と、ユーザ情報取得部１４０が取得したユーザ識別情報とを紐付けたコンテンツデータを生成する。コンテンツデータ生成部１５０はまた、コンテンツデータに背景処理部１２０が取得した背景情報や遊戯用撮影装置１００の識別情報も含めてコンテンツデータを生成してもよい。コンテンツデータ生成部１５０は、画像生成部１１０が一連の写真画像群を撮影する度（１プレイごと）に、コンテンツデータを生成する。コンテンツデータは、画像群取得部１３０が生成した画像群識別子を用いて一意に特定することができる。  
【００５０】
出力処理部６３は、表示処理部１６０、印刷処理部１６１、データ送信部１６２を含む。表示処理部１６０は、出力空間３０において印刷する画像や出力処理に関する内容、指示をタッチパネル式の液晶モニタ３１１へ表示させ、音声による指示をスピーカ３１４から出力する。印刷処理部１６１は、編集処理部６１により編集された出力用画像をプリンタ３４によりシール紙に印刷する。データ送信部１６２は、編集処理部６１により編集された出力用画像を通信部１７０を介して端末装置５００または管理サーバ３００へ送信するとともに、非接触通信部３１２を介して端末装置５００へ送信する。  
【００５１】
通信部１７０は、インターネットなどのネットワーク２００を介して管理サーバ３００と通信し、コンテンツデータを送信する。管理サーバ３００は、通信部１７０から受信したコンテンツデータを格納する。管理サーバ３００は、格納したコンテンツデータにアクセスするためのＵＲＬ（コンテンツアクセス情報の一例）を生成し、コンテンツデータに含まれるメールアドレス等のユーザ識別情報に基づいて端末装置５００へコンテンツアクセス情報を送信する。非接触通信部３１２は、ユーザの端末装置５００とアドホックで無線通信し、コンテンツデータまたはコンテンツデータに含まれる各画像を送信する。  
【００５２】
なお、コンテンツアクセス情報は、管理サーバ３００における格納先が決まっている場合は、コンテンツデータ生成部１５０で生成することもできる。この場合、コンテンツアクセス情報は、コンテンツデータに含まれる。通信部１７０は、コンテンツアクセス情報を含むコンテンツデータを管理サーバ３００に送信する。  
【００５３】
図６は、コンテンツデータ生成部１５０が生成するコンテンツデータのデータ構造を模式的に示す図であ
る。本図に示すように、コンテンツデータは、第１フィールド１５１から第５フィールド１５５までの、少なくとも５つのデータフィールドを備える。  
【００５４】
第１フィールド１５１は、画像群取得部１３０が生成した画像群識別子を格納する。画像群識別子は、例えば遊戯用撮影装置１００に固有に定められた識別子と、プレイを開始した年月日および時刻との組合せによって生成される。これにより、遊戯用撮影装置１００ごと、かつ、プレイごとに一意の画像群識別子が生成できる。なお、画像群識別子は、遊戯用撮影装置１００の識別子とコンテンツデータ生成部１５０がコンテンツデータを生成した年月日および時刻との組合せによって生成してもよい。  
【００５５】
第２フィールド１５２は、撮像部１１６が生成した写真画像データと、画像群取得部１３０が生成した画像識別子とを紐付けて格納する。画像識別子は、例えば撮像部１１６が撮影した順番に付与された通し番号である。図６は、Ｎ枚（Ｎは正の整数）の画像とそれに対応するＮ種類のＩＤとが格納されている例を示している。限定はしないが、６枚の撮影画像を生成した場合、Ｎは６となり、８枚の撮影画像を生成した場合、Ｎは８となる。  
【００５６】
第３フィールド１５３は、少なくとも、ユーザ情報取得部１４０が取得した各ユーザのメールアドレス等のユーザ識別情報を格納する。図６はＭ種類（Ｍは正の整数）のメールアドレスが格納されている例を示す。ここでＭは、１プレイにおいて入力されたメールアドレスの数である。プレイしたユーザ全員が入力するとは限らないが、通常は全員が入力するので、同時にプレイしたユーザの人数と同等と考えてもよい。ユーザ識別情報としては、メールアドレスに限らず、事前にメールアドレス等のユーザ情報を登録したユーザに対して一意に割り当てられた識別情報である会員ＩＤであってもよい。ユーザ識別情報は、暗号化された状態で第３フィールド１５３に格納される。  
【００５７】
第４フィールド１５４は、背景処理部１２０が生成した背景情報を格納する。また第５フィールド１５５は、撮影位置情報として遊戯用撮影装置１００の識別情報を格納する。  
【００５８】
＜管理サーバの機能構成＞  図７は、管理サーバ３００の機能構成を模式的に示す機能ブロック図である。管理サーバ３００は、コンテンツデータ取得部３１０、コンテンツ送信部３２０、記憶部３３０、ユーザ情報管理部６６０、およびアプリケーション提供部３８０を含む。  
【００５９】
本図は、実施の形態に係る管理サーバ３００を実現するための機能構成を示し、その他の構成は省略している。本図において、さまざまな処理をする機能ブロックとして記載される各要素は、ハードウェアであるＣＰＵ、メインメモリ、その他のＬＳＩで構成することができる。また、ソフトウェア的にはメインメモリにロードされたプログラム等をＣＰＵが実行することによって実現される。したがって、これらの機能ブロックがハードウェアのみ、ソフトウェアのみ、またはそれらの組み合わせによっていろいろな形で実現できることは当業者には理解されるところであり、いずれかに限定されるものではない。  
【００６０】
コンテンツデータ取得部３１０は、複数回の撮影によって生成された複数の画像を含む写真画像群と、写真画像群を識別するための写真画像群識別子と、メールアドレス等のユーザ識別情報とが紐付けられたコンテンツデータを、ネットワーク２００を介して取得する。ここでコンテンツデータ取得部３１０が取得するコンテンツデータは、上述した遊戯用撮影装置１００のコンテンツデータ生成部１５０が生成したデータを含むが、それには限られない。コンテンツデータ取得部３１０が取得するコンテンツデータは、少なくとも写真画像群と、この写真画像群に含まれる複数の写真画像が同じグループに属することを判別するための情報（画像群識別子やメールアドレス等）とが紐づけられていれば、その出所は問わない。例えばユーザがスマートフォンやタブレットで写真撮影をして得られた写真画像群にメールアドレスを対応付けて生成したコンテンツデータであってもよい。  
【００６１】
記憶部３３０は、コンテンツデータ取得部３１０が取得したコンテンツデータを格納する。記憶部３３０は、ハードディスクドライブ（Hard Disk Drive;ＨＤＤ）、ソリッドステートドライブ（Solid State Drive;ＳＳＤ）、フラッシュメモリ等、既知の大容量ストレージを用いて実現できる。記憶部３３０は、コンテンツデータの一部に含まれるユーザ識別情報のほか、写真撮影サービスの会員として登録されるユーザ情報を含む会員データベースをさらに保持する。そのユーザ情報としては、ユーザごとのメールアドレスの他に、ユーザ名、パスワード、会員ＩＤ、会員種別、アプリケーションＩＤ、アプリケーションバージョン情報、年齢、性別、生年月日、電話番号、利用履歴等の情報が記憶される。利用履歴としては、撮影日時や撮影した写真画像群の識別子、利用した機種の設置場所ないし機種名、一緒に利用した他のユーザの識別情報等の情報が記憶される。ユーザ情報管理部６６０は、遊戯用撮影装置１００または端末装置５００からネットワーク２００を介してユーザ情報を受信して記憶部３３０へ格納する。また、ユーザ情報管理部６６０は、遊戯用撮影装置１００または端末装置５００から要求されたユーザ情報を遊戯用撮影装置１００または端末装置５００へネットワーク２００を介して送信する。  
【００６２】
コンテンツ送信部３２０は、ユーザの情報提示アプリケーションに対してコンテンツデータを送信する。すなわち、コンテンツ送信部３２０は、コンテンツアクセス情報を端末装置５００上の情報提示アプリケーション宛てに通知すると、端末装置５００上の情報提示アプリケーションが管理サーバ３００へアクセスする。コンテンツ送信部３２０がユーザ識別情報に基づいて情報提示アプリケーションを認証すると、その情報提示アプリケーションに対してコンテンツデータを送信する。情報提示アプリケーションを利用していないユーザに関しては、記憶部３３０に格納されたコンテンツデータにアクセスするためのコンテンツアクセス情報を、当該コンテンツデータ中にユーザ識別情報として含まれるメールアドレス宛にメール送信する。コンテンツ送信部３２０がユーザに送信するメールには、コンテンツデータにアクセスするためのＵＲＬが含まれている。ユーザが受信したメールアドレスに記載されたＵＲＬに端末装置５００等の端末を用いてアクセスすると、コンテンツ送信部３２０は記憶部３３０に格納されているコンテンツデータを送信する。  
【００６３】
端末装置５００は、撮影後に写真画像を編集したりするための情報提示アプリケーションを実行することができる。この情報提示アプリケーションは記憶部３３０に格納されており、アプリケーション提供部３８０は、端末装置５００からの要求に応じて端末装置５００に情報提示アプリケーションを送信する。ただし、情報提示アプリケーションは、管理サーバ３００とは別のサーバに格納されてもよく、その場合、端末装置５００が別のサーバから情報提示アプリケーションをダウンロードしてインストールしてもよい。  
【００６４】
図８は、管理サーバ３００に登録されたユーザ情報のテーブルを模式的に示す図である。管理サーバ３００に登録されるユーザ情報は、メールアドレス、ユーザ名、会員ＩＤ、会員種別、パスワード、アプリケーションＩＤ、アプリケーションバージョン情報が含まれる。メールアドレスは、ユーザへの通知の宛先として用いられるだけでなく、ユーザを識別するためにも用いられる一意の識別情報である。ユーザ名は、写真撮影サービスでのユーザとの対話において表示される形式的なユーザの名前であり、必ずしも一意であることを要さず、ユーザが任意に設定できる。会員ＩＤは、管理サーバ３００のデータベース上でユーザを識別するための情報であり、メールアドレスの代わりにこの会員ＩＤをユーザ識別情報として利用してもよい。特に、ユーザによってメールアドレスの登録が変更されても会員ＩＤは変更されない。  
【００６５】
会員種別は「有料会員」または「無料会員」のいずれに該当するかがユーザごとに記録される。ただし、図の通り、有料会員については会員ＩＤのアルファベットを「ａ」にし、無料会員については会員ＩＤのアルファベットを「ｂ」にして区別するなど、会員ＩＤの割り当て方の違いによって会員種別が区別されるようにしてもよい。会員種別としては、会費が課金される「有料会員」と、会費が課金されない「無料会員」とが用意され、いずれの会員にも登録されていないユーザを「非会員」として区別する。写真撮影サービスおよび情報提示アプリケーションは、そのユーザの会員種別が「有料会員」「無料会員」「非会員」のいずれであるかに応じて差別化された、価値の異なるサービスや機能、情報を提供する。  
【００６６】
パスワードは、ユーザがそれぞれ任意に設定する英数字の文字列である。アプリケーションＩＤは、ユーザの端末装置５００にダウンロードされてインストールされた専用の情報提示アプリケーションに一意に割り当てられた識別情報であり、ユーザごとにどの端末に情報提示アプリケーションがインストールされているかを特定するために用いられる。アプリケーションＩＤは、デバイストークンとも呼ばれ、情報提示アプリケーションを端末装置５００へインストールしたときに所定のサーバから発行され、特にプッシュ通知サーバを介して情報提示アプリケーションへプッシュ通知する際にも送信先の情報提示アプリケーションを識別するために用いられる。また、以前と異なるアプリケーションＩＤの端末から認証の問合わせがあった場合に、第三者からの不正なアクセスである可能性を検知するのにも利用可能である。アプリケーションバージョン情報は、端末装置５００にインストールされている情報提示アプリケーションのバージョン情報であり、端末装置５００の機種名やＯＳ名を識別する情報が含まれていてもよい。  
【００６７】
＜端末装置の機能構成＞  図９は、端末装置５００の機能構成を模式的に示す機能ブロック図である。端末装置５００は、タッチパネル５１０、コンテンツデータ取得部５２０、登録情報取得部５３０、記憶部５４０、接続処理部５５０、通信部５６０を含む。  
【００６８】
本図は、実施の形態に係る端末装置５００を実現するための機能構成を示し、その他の構成は省略している。本図において、さまざまな処理をする機能ブロックとして記載される各要素は、ハードウェアであるＣＰＵ、メインメモリ、タッチパネル、その他のＬＳＩで構成することができる。また、ソフトウェア的にはメインメモリにロードされたプログラム等をＣＰＵが実行することによって実現される。したがって、これらの機能ブロックがハードウェアのみ、ソフトウェアのみ、またはそれらの組み合わせによっていろいろな形で実現できることは当業者には理解されるところであり、いずれかに限定されるものではない。端末装置５００は、例えばスマートフォン、タブレットＰＣ、ファブレット、携帯電話、電子書籍端末、ノートＰＣ、デスクトップＰＣ、電子辞書等、プロセッサ、メモリ、およびタッチパネルを備える電子機器を用いて実現できる。  
【００６９】
通信部５６０は、端末装置５００が無線通信を介して外部装置と情報をやりとりするためのインタフェースである。通信部５６０は、無線通信モジュール、例えばＢｌｕｅｔｏｏｔｈ（商標）やＮＦＣなどの近距離無線通信や無線ＬＡＮなどの無線通信のモジュールを用いて実現できる。  
【００７０】
タッチパネル５１０は、端末装置５００が生成した情報をユーザに提示する表示デバイスであると同時に、端末装置５００に対するユーザの操作を取得する入力デバイスである。  
【００７１】
記憶部５４０は、ユーザ情報や情報提示アプリケーションを格納する。ユーザ情報は、メールアドレスや会員ＩＤなどのユーザ識別情報と、そのユーザ識別情報に紐付けられて登録されたパスワードや会員種別などの情報である。情報提示アプリケーションは、端末装置５００のプロセッサ（不図示）が実行することで端末装置５００に画像表示機
能、情報表示機能、登録情報入力機能等の各機能を実現するためのプログラムである。コンテンツデータ取得部５２０、登録情報取得部５３０、接続処理部５５０は、端末装置５００のプロセッサが情報提示アプリケーションを実行することで実現される。情報提示アプリケーションは、端末装置５００に各種機能を実現させるコンピュータが読み出し可能なプログラムである。端末装置５００は、管理サーバ３００または他のダウンロードサイトのサーバに要求することで、情報提示アプリケーションをダウンロードし、インストールできる。  
【００７２】
登録情報取得部５３０は、ユーザによるタッチパネル５１０の操作を介してユーザ識別情報およびパスワードの入力を受け付け、ユーザ識別情報およびパスワードに対応するユーザ情報を記憶部５４０から読み出し、または、通信部５６０を介して管理サーバ３００から取得する。ユーザが写真撮影サービスに未登録である非会員の場合、登録情報取得部５３０はユーザ識別情報となるメールアドレスおよびパスワードを設定すべき旨のメッセージをタッチパネル５１０に表示し、ユーザからメールアドレスおよびパスワードの入力を受け付け、ユーザ情報として記憶部５４０へ格納して「ログイン状態」にするとともに、そのユーザ情報を通信部５６０を介して管理サーバ３００へ送信する。この登録を契機に、ログイン状態である限り、このユーザの扱いは「非会員」から「無料会員」または「有料会員」へ切り替えられる。  
【００７３】
接続処理部５５０は、通信部５６０を介して遊戯用撮影装置１００との無線通信のペアリングおよび接続を確立する。例えば、ユーザが遊戯用撮影装置１００に所定操作をして近隣にあるデバイスの検索が開始されると、接続処理部５５０は遊戯用撮影装置１００からパスコード要求およびパスコードを含むペアリング要求を受信する。接続処理部５５０は、要求元のデバイス名とともにペアリングを許可する旨のボタンをタッチパネル５１０へ表示する。このとき、要求元のデバイスから受信したパスコードをさらに表示してユーザにパスコードの一致を確認させてもよい。ユーザがペアリングを許可する旨のボタンをタッチパネル５１０上で手で触れると、接続処理部５５０は遊戯用撮影装置１００へペアリングを許可する旨の信号を送信し、これによりＢｌｕｅｔｏｏｔｈ（商標）を用いたペアリングが成立する。次いで接続処理部５５０は、ペアリングが成立した遊戯用撮影装置１００との間で無線ＬＡＮによるアドホック通信の接続を確立する。この時点で、Ｂｌｕｅｔｏｏｔｈ（商標）を用いた接続およびペアリングを解除してもよい。遊戯用撮影装置１００との無線ＬＡＮによるアドホック通信は、プレイの終了時点で接続解除されるか、端末装置５００と遊戯用撮影装置１００の距離が離れるなど通信が途絶えた期間が一定時間継続したときにも解除される。  
【００７４】
コンテンツデータ取得部５２０は、通信部５６０による無線通信を介してコンテンツデータ（図６参照）を取得し、記憶部５４０に格納する。コンテンツデータ取得部５２０は、コンテンツデータを遊戯用撮影装置１００から直接受信し得るとともに、管理サーバ３００から受信した通知またはメールに含まれるＵＲＬにアクセスしてコンテンツデータをダウンロードすることもできる。コンテンツデータ取得部５２０は、ユーザからのタッチパネル５１０を介した指示に応じてコンテンツデータをタッチパネル５１０に表示させる。  
【００７５】
情報提示アプリケーションは、そのユーザが有料会員、無料会員、非会員のうちいずれであるかに応じて価値の異なる情報や機能を提供してもよい。例えば、未ログインの状態であれば、登録情報取得部５３０が非会員と推定して会員登録を促すメッセージをタッチパネル５１０に提示する。ログイン済みの状態でも無料会員の場合は、登録情報取得部５３０が有料会員への登録を促すメッセージをタッチパネル５１０に提示する。なお、情報提示アプリケーションは、未ログインの状態であった場合でもログイン履歴として情報提示アプリケーションに記録されたメールアドレスやパスワードなどの情報を参照して会員登録の有無および会員種別を判定してもよい。その場合、ログイン履歴に含まれる情報をもとに管理サーバ３００にアクセスして会員登録の有無および会員種別を判定して、会員登録済みであると判定した場合はログインをユーザに促し、会員未登録であると判定した場合に会員登録をユーザに促してもよい。情報提示アプリケーションが画像の保管機能や編集機能、閲覧機能、ＳＮＳへの投稿や共有の機能等の機能を提供する場合、例えばそのユーザが有料会員であれば全機能を提供し、無料会員であれば一部の機能に限定して提供し、非会員であれば全機能を制限してもよい。  
【００７６】
図１０は、端末装置５００と遊戯用撮影装置１００のペアリングを成立させるために遊戯用撮影装置１００の上部モニタ１１３に表示される画面例を模式的に示す。遊戯用撮影装置１００の画面７００には、端末装置５００と遊戯用撮影装置１００との間でペアリングを成立させる方法が説明欄７０２において文字や図で表示される。例えば、まずユーザに自身の端末装置５００上で情報提示アプリケーションを起動させる指示と、画面７００上の所定領域であるペアリングボタン７０４に手で触れさせる指示を表示する。ユーザがペアリングボタン７０４に手で触れたことを検出すると、遊戯用撮影装置１００は近距離無線通信モジュールを介して周囲のデバイスを検索して所定のパスコードおよび同じパスコードの返信要求を発信する。そのパスコードを受信した端末装置５００上の情報提示アプリケーションは、遊戯用撮影装置１００との接続を確認する「（機種名）と接続しますか？」といった文字列とともに、「ペアリングボタン」を画面に表示する。ユーザが端末装置５００の画面上で「ペアリングボタン」に手を触れると、端末装置５００は受信してあったパスコードを返信する。ユーザが画面７００のペアリングボタン７０４に手を触れてから所定時間以内に端末装置５００からのパスコードを遊戯用撮影装置１００が受信することでペアリングが成立し、遊戯用撮影装置１００は「ペアリング成功！」といった、ペアリングの成立を通知するメッセージを画面７００に表示する。複数ユーザで利用する場合には、一人のユーザがペアリングボタン７０４に手を触れるとともに複数ユーザがそれぞれ自身の端末装置５００を操作することにより一度に複数のペアリングを成立させることができる。  
【００７７】
図１１は、ペアリングが成立したユーザ一覧を表示する画面例を模式的に示す。遊戯用撮影装置１００は、複数のユーザの端末装置５００との間でペアリングを試みるとともに、ペアリングが成立した複数のユーザを並べたユーザ一覧７５２を画面７５０に表示する。ユーザ一覧７５２には、ペアリングが成立したユーザごとに、端末装置５００の機種名、ユーザ名、メールアドレス、会員ＩＤ、会員種別を一覧で表示する。例えば、一人目のユーザ名「ｐｅａｃｈ」というユーザは、携帯端末である端末装置５００の機種名が「ＣＰｈｏｎｅ２」、メールアドレスが「ｘｘｘ＠ａａａ．ｃｏｍ」、会員ＩＤが「ａ０００１」、会員種別が「有料会員」であることが表示される。二人目および三人目のユーザも同様にユーザ一覧７５２にそれぞれのユーザ情報が表示される。一方、四人目のユーザは会員として未登録である非会員ユーザであるため、会員種別として「非会員」と表示され、取得される端末装置５００の機種名「ＢＰｈｏｎｅ４」は表示されるが、未登録であるユーザ名、メールアドレス、会員ＩＤは表示されない。  
【００７８】
ユーザ一覧７５２の側方（本図の例では左側）には、ユーザごとに解除ボタン７５４が表示される。遊戯用撮影装置１００は、ユーザがいずれかの解除ボタン７５４に手を触れた場合に、対応するユーザの端末装置５００との間で成立していたペアリングを解除する。これにより、偶然近くに居合わせた無関係な人が誤って自分の端末装置５００を操作してペアリングが成立してしまった場合や、無関係な人が悪意を持ってペアリングを成立させた場合に、ユーザがその無関係な端末装置５００のペアリングを自ら選択して解除することができる。  
【００７９】
ユーザ一覧７５２の下方には、端末追加ボタン７５６およびＯＫボタン７５８が表示される。複数ユーザで利用する場合であってペアリングに失敗したユーザが存在する場合、ユーザが端末追加ボタン７５６に手を触れることにより、ユーザ一覧７５２に表示されなかったユーザの端末装置５００を事後的に追加することができる。端末追加ボタン７５６は、図１０のペアリングボタン７０４と同様に機能し、端末追加ボタン７５６に手を触れた後の所定時間以内に、追加するユーザが端末装置５００に表示されるペアリングボタンに手を触れることでペアリングの追加が完了する。すべてのユーザのペアリングが成立した時点でいずれかのユーザがＯＫボタン７５８に手を触れると、ペアリング処理が終了して撮影準備へ移行する。この時点で画像群識別子が発行され、画像群識別子とユーザ識別情報やアプリケーションＩＤ等のユーザ情報とが紐付けられて遊戯用撮影装置１００に記憶される。また、画像群識別子をペアリング済みの端末装置５００の情報提示アプリケーションに対して送信し、これを情報提示アプリケーションが記憶してもよい。これにより、例えば非会員であっても、事後的に会員に登録した場合に情報提示アプリケーションに記憶される画像群識別子に基づいて事後的に画像をダウンロードすることも容易に実現できる。  
【００８０】
図１２は、遊戯用撮影装置１００におけるプレイの概略的な流れを示すフローチャートである。ユーザがコイン投入口に所定の金額のコインを投入するまで待機し（Ｓ１０のＮ）、所定の金額のコインの投入があれば（Ｓ１０のＹ）、図１０，１１に説明したペアリング処理を実行する（Ｓ１２）。ペアリング処理の完了後、ユーザは写真の画質を選択し（Ｓ１４）、カメラの画角や角度を選択し（Ｓ１６）、クロマキー合成する背景を選択する（Ｓ１８）。以上により、事前接客処理が完了し、撮影空間１０での撮影処理に移行する（Ｓ２０）。撮影処理を終えると、ユーザは撮影空間１０から編集空間２０ａ，２０ｂのいずれかに移動し、編集処理に移行する（Ｓ２２）。編集処理を終えると、ユーザは編集空間２０から出力空間３０に移動し、印刷および画像送信を含む出力処理に移行する（Ｓ２４）。  
【００８１】
図１３は、図１２のＳ２４における出力処理の詳細を示すフローチャートである。まず、プリンタ３４が撮影画像や編集済みの撮影画像の中から選択された画像の印刷を開始する（Ｓ３０）。ユーザに印刷完了を待たせる間、無料会員であるユーザの端末装置５００に対して送信する画像を選択させるための画面を表示する（Ｓ３２）。なお、有料会員であるユーザに関しては、すべての撮影画像や編集画像を送信するためＳ３２の処理をスキップしてもよく、非会員であるユーザに関しても画像を送信しないためＳ３２の処理をスキップしてもよい。すなわち、有料会員のユーザが一人も含まれない場合であって無料会員のユーザが少なくとも一人含まれる場合にＳ３２の処理が実行される。Ｓ３２の後、会員の有無や会員種別にかかわらず、プレイにおいて生成された全画像を管理サーバ３００へ送信する（Ｓ３４）。例えば、無料会員や非会員であっても、事後的に有料会員に登録した場合には管理サーバ３００から画像をダウンロードできるように、全画像を管理サーバ３００に保管しておくためである。なお、全画像送信処理を実行するＳ３４のタイミングは便宜上このタイミングに規定したにすぎず、本図のフローのいずれのタイミングで実行してもよい。  
【００８２】
以下、出力対象のプレイに対応する端末装置５００との間で無線通信の接続が確立しているか、そのプレイに対応する１人以上のユーザに有料会員が含まれるか、そのプレイに対応する１人以上のユーザに非会員が含まれるか、に応じて異なる処理を実行する。まず、無線通信の接続が確立している端末装置５００が存在し（Ｓ３６のＹ）、接続が確立しているユーザに有料会員が含ま
れ（Ｓ３８のＹ）、かつ、非会員が含まれない場合（Ｓ４０のＮ）、接続が確立しているすべての端末装置５００へすべての画像を送信する（Ｓ４２）。この場合、複数のユーザの中に一人でも有料会員が含まれていれば、無料会員に対しても全画像を送信することとなる。送信の完了後は無線通信の接続を解除するとともにペアリングの設定も破棄し（Ｓ５６）、出力処理の時点で無線通信の接続がされていなかった端末装置５００（接続が切断されてしまった端末を含む）が存在する場合はそのユーザに対して全画像を送信するよう管理サーバ３００に指示を送る（Ｓ５８）。管理サーバ３００への指示としては、画像群識別子とともに、対象となるユーザのメールアドレスや会員ＩＤ、アプリケーションＩＤなどの識別情報を送信する。  
【００８３】
Ｓ４０において、非会員が含まれる場合には（Ｓ４０のＹ）、接続が確立している非会員の端末装置５００に対し、非会員には画像を送信しない旨および会員登録を促すメッセージを情報提示アプリケーションを介して通知し（Ｓ４４）、接続が確立している会員の端末装置５００に対しすべての画像を送信する（Ｓ４６）。この場合、複数のユーザの中に一人でも有料会員が含まれていれば、無料会員に対しても全画像を送信することとなる一方で、非会員には画像は送信しない。送信の完了後は無線通信の接続を解除してペアリング設定を破棄し（Ｓ５６）、無線通信の接続がされていなかった会員の端末装置５００が存在する場合はそのユーザに対して全画像を送信するよう管理サーバ３００に指示を送る（Ｓ５８）。  
【００８４】
Ｓ３８において、有料会員が一人も含まれず（Ｓ３８のＮ）、かつ、非会員も一人も含まれない場合（Ｓ４８のＮ）、すべてのユーザが無料会員であるためＳ３２で選択された画像を接続が確立しているすべての端末装置５００へ送信する（Ｓ５０）。送信の完了後は無線通信の接続を解除してペアリング設定を破棄し（Ｓ５６）、無線通信の接続がされていなかった無料会員の端末装置５００が存在する場合はそのユーザに対して選択画像を送信するよう管理サーバ３００に指示を送る（Ｓ５８）。  
【００８５】
Ｓ３８において、有料会員が一人も含まれず（Ｓ３８のＮ）、かつ、非会員が含まれる場合（Ｓ４８のＹ）、接続が確立している非会員の端末装置５００に対し、非会員には画像を送信しない旨および会員登録を促すメッセージを情報提示アプリケーションを介して通知する（Ｓ５２）。接続が確立している無料会員の端末装置５００には、Ｓ３２で選択された画像を送信する（Ｓ５４）。送信の完了後は無線通信の接続を解除してペアリング設定を破棄し（Ｓ５６）、無線通信の接続がされていなかった無料会員の端末装置５００が存在する場合はそのユーザに対して選択画像を送信するよう管理サーバ３００に指示を送る（Ｓ５８）。  
【００８６】
Ｓ３６において、無線通信が接続している端末装置５００が存在しない場合は（Ｓ３６のＮ）、Ｓ３８からＳ５６の処理をスキップし、未接続である端末装置５００に対して画像を送信するよう管理サーバ３００に指示を送る（Ｓ５８）。この場合、有料会員に対しては全画像を送信するが、無料会員に対しては選択画像のみを送信する。ただし、有料会員が含まれていた場合は無料会員に対しても全画像を送信してもよい。また、非会員に対しては画像を送信しないが、事後的に会員に登録した場合にはその登録時点から画像をダウンロードできるようにする。以上の出力処理を経て、画像の印刷が終了したとき、ユーザは、出力筐体３１に設けられたシール紙排出口３１３からシール紙を受け取り、一連のプレイが終了する。  
【００８７】
図１４は、遊戯用撮影装置１００から画像送信の指示を受けた管理サーバ３００における処理を示すフローチャートである。管理サーバ３００は、図１３のＳ５８において遊戯用撮影装置１００から画像送信の指示を受信するまで待機し（Ｓ６０のＮ）、画像送信の指示を受信した場合（Ｓ６０のＹ）、管理サーバ３００は画像群識別子とともに受信したメールアドレス、会員ＩＤなどの識別情報に基づいて会員データベースからユーザを検索して特定し（Ｓ６２）、そのユーザの情報提示アプリケーションのアプリケーションＩＤを特定し（Ｓ６４）、特定したアプリケーションＩＤに基づく情報提示アプリケーションへ画像を送信し（Ｓ６６）、送信完了を情報提示アプリケーションを介してそのユーザへ通知する（Ｓ６８）。ただし、情報提示アプリケーションに対する画像の送信方法は種々の方法を採り得る。例えば、いわゆるプッシュ型の送信方法でもよいし、プル型の送信方法でもよい。後者の場合、画像の送信準備が整った事実のみを先にプッシュ型で通知し、プル型で画像をダウンロードさせてもよい。例えば、管理サーバ３００は、プッシュ通知先のアプリケーションＩＤを所定のプッシュ通知サーバへ送信し、情報提示アプリケーション側が定期的または不定期にプッシュ通知サーバへアプリケーションＩＤのパケットを送信し、アプリケーションＩＤが一致した場合に情報提示アプリケーションにプッシュ通知がなされ、ユーザの操作および指示に基づいて画像のダウンロードが実現される。なお、非会員に対しては、メールアドレスや会員ＩＤなどのユーザ識別情報が登録されていないため、その非会員が情報提示アプリケーションをインストールしたときに発行されたアプリケーションＩＤであって、写真撮影時のペアリングで遊戯用撮影装置１００に送信されたアプリケーションＩＤに基づいて通知がなされる。  
【００８８】
以上、本発明の実施の形態に係る写真撮影システム６００について説明した。本発明は上記実施の形態に限定されるものではなく、その趣旨を逸脱しない限りにおいて、種々の変更が可能である。  
【００８９】
上記の実施の形態においては、ペアリングにあたって所定のペアリングボタンに手を触れさせることを例示した。変形例においては、例えば端末装置５００を上下方向に振らせるなど加速度センサなどを用いて検出される所定動作や、二次元バーコードを読ませるなどの操作を契機としてペアリングを処理する仕様としてもよい。  
【００９０】
写真撮影時においては、会員登録の有無および会員種別によって価値の異なるサービスを提供してもよい。例えば、非会員のユーザに対しては通常の撮影を提供し、無料会員のユーザに対しては１回のみ撮影し直しを許可し、有料会員のユーザに対してはすべての写真について１回ずつ撮影し直しを許可する。複数ユーザのグループで撮影する場合には、グループ内に一人でも会員が含まれていれば、その会員が無料会員か有料会員かによって異なるサービスを提供する。写真撮影が終わった時点でプレイ待ちの他のユーザがいない状態であると判定した場合、ユーザが無料会員または有料会員の場合に限り、撮影空間１０や照明の使用時間延長を許可してもよい。このように会員登録有無や会員種別に応じて異なるサービスを提供できるのも、プレイ開始前の事前接客処理においてペアリングさせて事前に会員種別の情報が得られるからである。  
【００９１】
写真編集時においても会員登録の有無および会員種別によって価値の異なるサービスを提供してもよい。例えば、非会員のユーザに対しては通常の落書き編集を提供し、無料会員のユーザに対しては通常は提供されない特別なモチーフ画像や背景画像の付加的使用を許可し、有料会員のユーザに対してはその特別なモチーフ画像の使用だけでなく、過去の自身の撮影画像との合成をさらに許可する。  
【００９２】
写真出力時においても会員登録の有無および会員種別によって価値の異なるサービスを提供してもよい。例えば、非会員に対してはダウンロードサイトへアクセスしたときにプレゼントＡを付与するのに対し、会員に対しては情報提示アプリケーションへ直接プレゼント（無料会員にはプレゼントＢ、有料会員にはプレゼントＣ）を転送して付与する。プレゼントは写真撮影サービスに付随するコンテンツでもよいし、他店で使用できるクーポンでもよく、そうしたコンテンツやクーポンの価値が、非会員、無料会員、有料会員の違いに応じて異なるよう設定される。ユーザへのプレゼントとしては、遊戯用撮影装置１００が設置された店舗とは異なる外部店舗の写真出力端末の利用権を付与してもよい。  
【００９３】
写真撮影時、写真編集時、写真出力時の各サービスとして、そのユーザにおける所定のＳＮＳのアカウント登録有無に応じて価値の異なるサービスを提供してもよい。ＳＮＳのアカウントを写真撮影サービスに登録済みのユーザは、撮影した画像をＳＮＳへ投稿することが期待でき、そのサービス名の周知に役立つため、その期待に見合った付加価値を提供するものである。また、撮影画像を付与した後、その画像をユーザが情報提示アプリケーションが内蔵するＳＮＳ投稿機能を用いて投稿した場合に、さらにプレゼントを付与することとしてもよい。そのような投稿を促す広告を情報提示アプリケーションが提示してもよい。  
【００９４】
変形例として、遊戯用撮影装置１００および情報提示アプリケーションは、遊戯用撮影装置１００による写真撮影を利用したユーザに対する特典として、その写真撮影後の追加的な簡易撮影機能を提供してもよい。すなわち、撮影後にユーザが出力部５２における出力空間３０で写真が出力されるのを待っている間に遊戯用撮影装置１００を背景にしてカメラ付き携帯電話などの端末装置５００で自らの写真を簡易撮影する場合を想定する。そのような場合のために、ユーザの端末装置５００における情報提示アプリケーションはカメラ機能および素材合成機能を備える。素材合成機能は、ユーザが利用した遊戯用撮影装置１００の機種に対応する種類のスタンプや文字などの素材を写真に合成できるよう構成される。
【符号の説明】
【００９５】
１０  撮影空間、  ２０  編集空間、  ６０  画像生成部、  ６１  編集処理部、  ６２  登録処理部、  ６３  出力処理部、  １００  遊戯用撮影装置。
【図１】
2020187363.tif 000003
【図２】
2020187363.tif 000004
【図３】
2020187363.tif 000005
【図４】
2020187363.tif 000006
【図５】
2020187363.tif 000007
【図６】
2020187363.tif 000008
【図７】
2020187363.tif 000009
【図８】
2020187363.tif 000010
【図９】
2020187363.tif 000011
【図１０】
2020187363.tif 000012
【図１１】
2020187363.tif 000013
【図１２】
2020187363.tif 000014
【図１３】
2020187363.tif 000015
【図１４】
2020187363.tif 000016
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
撮影されたユーザを被写体に含む撮影画像を取得する画像生成部と、
前記ユーザの会員の種別を示す情報を含むユーザ情報を取得するユーザ情報取得部と、
前記撮影画像と前記ユーザ情報を関連付けて外部装置に送信する送信部と、
を備える遊戯用撮影装置。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
コンテンツを作成する遊戯用撮影装置と、前記遊戯用撮影装置から取得した前記コンテンツを記憶するとともに、前記コンテンツを端末装置に提供する管理サーバとを備える遊戯用撮影システムにおいて、
前記遊戯用撮影装置は、
利用者の端末装置から、当該利用者を特定するための識別情報を取得するユーザ情報取得部と、
複数の撮影画像を生成する画像生成部と、
前記複数の撮影画像を含む前記コンテンツを生成するコンテンツ生成部と、
前記識別情報および前記コンテンツを前記管理サーバに送信する送信部と、
前記管理サーバは、
利用者ごとの会員情報を予め記憶する記憶部を備え、
前記送信部から前記識別情報および前記コンテンツを受信し、前記識別情報で特定される利用者の会員情報を前記記憶部から取得し、前記会員情報に基づいて前記コンテンツの前記端末装置への提供を管理する
写真撮影システム。
【請求項２】
前記遊戯用撮影装置は、
利用者の撮影を行う撮影処理、前記撮影処理にて作成された撮影画像を編集する編集処理および前記編集処理にて作成された編集画像を出力する出力処理を制御する制御部を備え、
前記ユーザ情報取得部は、外部装置から当該利用者の前記会員情報を取得し、
前記制御部は、前記会員情報に基づいて、前記撮影処理、前記編集処理および前記出力処理の少なくともいずれかを制御する
請求項１に記載の写真撮影システム。
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
コンテンツを作成する遊戯用撮影装置と、前記遊戯用撮影装置から取得した前記コンテンツを記憶するとともに、前記コンテンツを端末装置に提供する管理サーバとを備える遊戯用撮影システムにおいて、
前記遊戯用撮影装置は、
利用者の端末装置から、当該利用者を特定するための識別情報を取得するユーザ情報取得部と、
複数の撮影画像を生成する画像生成部と、
前記複数の撮影画像を含む前記コンテンツを生成するコンテンツデータ生成部と、
前記識別情報および前記コンテンツを前記管理サーバに送信する通信部と、
前記管理サーバは、
利用者ごとの会員情報を予め記憶する記憶部を備え、
前記通信部から前記識別情報および前記コンテンツを受信し、前記識別情報で特定される利用者の会員情報を前記記憶部から取得し、前記会員情報に基づいて前記コンテンツの前記端末装置への提供を管理する
写真撮影システム。
【請求項２】
前記遊戯用撮影装置は、
利用者の撮影を行う撮影処理、前記撮影処理にて作成された撮影画像を編集する編集処理、および前記編集処理にて作成された編集画像を出力する出力処理を制御する制御部を備え、
前記ユーザ情報取得部は、外部装置から当該利用者の前記会員情報を取得し、
前記制御部は、前記会員情報に基づいて、前記撮影処理、前記編集処理および前記出力処理の少なくともいずれかを制御する
請求項１に記載の写真撮影システム。
【請求項３】
前記ユーザ情報取得部は、二次元コードに基づいて、前記端末装置から前記識別情報を取得するように構成されている、請求項１に記載の写真撮影システム。
【請求項４】
コンテンツを作成する遊戯用撮影装置、及び前記遊戯用撮影装置から取得した前記コンテンツを記憶するとともに、前記コンテンツを利用者の端末装置に提供する管理サーバ、におけるコンテンツ管理方法であって、
前記遊戯用撮影装置において、
利用者の前記端末装置から、当該利用者を特定するための識別情報を取得するステップと、
複数の撮影画像を生成するステップと、
前記複数の撮影画像を含む前記コンテンツを生成するステップと、
前記識別情報および前記コンテンツを前記管理サーバに送信するステップと、
を備え、
前記管理サーバにおいて、
利用者ごとの会員情報を予め記憶するステップと、
前記遊戯用撮影装置から前記識別情報および前記コンテンツを受信すると、記憶された、前記識別情報で特定される利用者の会員情報に基づいて、前記コンテンツの前記端末装置への提供を管理するステップと、
を備えている、コンテンツ管理方法。